(57)【要約】      （修正有）【課題】組み立てやすく、良好な押圧感触を有し、材料疲労、割れ及び摩耗が生じにくいバックル装置を提供する。【解決手段】バックル装置３は、第一部分３１、第二部分３２、弾性部３３、及び少なくとも一つの押圧部３７を備える。弾性部３３は第一部分３１と第二部分３２との間に配置される。第二部分３２は、ベルト４と噛み合い、ベルト４は留められる。少なくとも一つの押圧部３７は弾性部３３と一体的に形成され、第一部分３１と第二部分３２から露出している。少なくとも一つの押圧部３７は、弾性部３３を外方へ突出させるために、外力によって内方へ押されることに適合する。これにより、第二部分３２が、ベルト４を解除するために、外方へ動かされる。【選択図】図３Ｂ
0003164680.tif 000002
【実用新案登録請求の範囲】
【請求項１】
ベルトを留めるためのバックル装置であって、
第一部分と、
前記ベルトに噛み合うことに適合する第二部分と、
前記第一部分と前記第二部分との間に配置される弾性部と、
前記弾性部と一体的に形成され、前記第一部分と前記第二部分から露出し、前記弾性部を外方へ押し出して前記第二部分を外方へ移動し前記ベルトを解除するために外力によって内方へ押圧されるようにされた少なくとも一つの押圧部と、
を備えるバックル装置。
【請求項２】
前記第二部分は、噛み合い端部と、前記噛み合い端部とは反対側の反対端部とを備え、前記反対端部は前記第一部分に固定され、一方、前記噛み合い端部は前記ベルトと噛み合う、請求項１に記載のバックル装置。
【請求項３】
前記反対端部はスナップ係合突起を備え、前記第一部分はスナップ係合孔を備え、前記スナップ係合突起と前記スナップ係合孔とが共にスナップ係合する、請求項２に記載のバックル装置。
【請求項４】
前記第一部分と前記第二部分は一体的に形成されている、請求項２に記載のバックル装置。
【請求項５】
前記第一部分は少なくとも一つの開口を備え、少なくとも一つの前記押圧部は、少なくとも一つの前記開口から突出している、請求項２に記載のバックル装置。
【請求項６】
バックル装置は２つの前記押圧部を備え、前記第一部分は２つの前記開口を備え、前記押圧部はそれぞれ前記開口から突出している、請求項５に記載のバックル装置。
【請求項７】
前記第二部分は第一突出部を備え、前記ベルトは複数の第二突出部を有し、前記第一突出部は前記ベルトの前記第二突出部と噛み合うために前記噛み合い端部に配置されている、請求項２に記載のバックル装置。
【請求項８】
バックル装置はさらに前記第一部分に固定された枢軸を備え、前記ベルトは前記枢軸の回りに巻かれている、請求項７に記載のバックル装置。
【請求項９】
前記第一突出部と前記第二突出部は前記枢軸に平行に配置されている、請求項８に記載のバックル装置。
【請求項１０】
前記弾性部には中空部が形成されている、請求項１に記載のバックル装置。
【請求項１１】
前記弾性部と少なくとも一つの前記押圧部は第一材料又は第二材料から形成されており、第二材料は第一材料より硬く、第一材料はショア硬さが実質的にＡ１０からＡ９５の間である、請求項１に記載のバックル装置。
【請求項１２】
前記第一材料は、シリコン、熱可塑性ゴム(TPR)、熱可塑性ポリウレタン樹脂(TPU)、熱可塑性エラストマー(TPE)、ポリ塩化ビニル(PVC)、天然ゴム、合成ゴム及びその組み合わせからなるグループの中から選択される、請求項１１に記載のバックル装置。
【請求項１３】
前記弾性部と少なくとも一つの前記押圧部は前記第一材料から形成されている、請求項１１に記載のバックル装置。
【請求項１４】
前記弾性部は前記第二材料から形成され、少なくとも一つの前記押圧部は前記第一材料から形成されている、請求項１１に記載のバックル装置。
【請求項１５】
前記第二材料は高硬度シリコンである、請求項１４に記載のバックル装置。
【請求項１６】
前記弾性部は少なくとも一つの前記押圧部にインサート成形又は接合されている、請求項１４に記載のバックル装置。
【請求項１７】
前記弾性部は前記第一材料から形成され、少なくとも一つの前記押圧部は前記第二材料から形成されている、請求項１１に記載のバックル装置。
【請求項１８】
前記第二材料は、ポリエチレン(PE)、ポリカーボネート(PC)、アクリロニトリル・ブタジエン・スチレン (ABS)、ポリオキシメチレン(POM)、ポリプロピレン(PP)、ナイロン、ガラス、高硬度シリコン及びその組み合わせからなるグループの中から選択される、請求項１７に記載のバックル装置。
【請求項１９】
少なくとも一つの前記押圧部は前記弾性部にインサート成形又は接合されている、請求項１７に記載のバックル装置。
【請求項２０】
前記第一部分は、ポリカーボネート(PC)、アルキルベンゼンスルホン酸塩(ABS)、ポリオキシメチレン(POM)、ポリプロピレン(PP)、熱可塑性ゴム(TPR)、ナイロン、ポリエチレン(PE)、ポリウレタン(PU) 及びその組み合わせからなるグループの中から選択される材料からなる、請求項１に記載のバックル装置。
【考案の詳細な説明】
【技術分野】
【０００１】
本考案は、バックル装置に関し、特に、ベルトを留めるためのバックル装置に関する。
【背景技術】
【０００２】
水中活動に参加する時、ユーザーは常にマスクと水かきを装着しなければならない。マスクは、水泳用ゴーグル、ダイビング用めがね、又はユーザーの顔の輪郭を覆うための他の種類の装置であってもよい。通常、マスクも水かきも、ベルトの長さを各ユーザーの体型に合わせて調節できるような、バックル装置とベルトを備えている。ベルトは、それにより、ユーザーの体のまわりで、バックル装置によって固定される。
【０００３】
図１Ａから図１Ｃでは、従来のバックル装置１は、本体１１、スナップ係合要素１２、弾性要素１３、第一枢軸１７、及び第二枢軸１６、を備える。スナップ係合要素１２は、噛み合い端部１５と、反対端部１４とを備える。反対端部１４は、弾性要素１３と接触し、一方、噛み合い端部１５は、第二枢軸１６の回りに巻かれたベルト（図示せず）に噛み合っている。ユーザーが、スナップ係合要素１２を上方へ持ち上げたとき、反対端部１４は、第一枢軸１７の回りを内方に回転し、弾性要素１３に当接する（すなわち、図１Ｃに示されるスナップ係合要素１２が反時計回りに回転する）。これにより、弾性要素１３は、外方へ変形させられ、押圧前弾性復元力を生み出す。噛み合い端部１５も同様に、外方に向かって傾き、マスク、水かき又は同種のもののベルトから離れる。そのとき、ユーザーの体に、マスク、水かき又は同種のものを、しっかり且つ適切に取り付けるため、ベルトの長さはユーザーの体型に合わせて調節できる。
【０００４】
しかし、弾性要素１３は本体１１と一体的に形成されているため、弾性要素１３は十分な強度を有する必要があり、そのために、ユーザーが反対端部１４に力を加えるとき、材質の柔軟性が十分でなくなる。その結果、ユーザーは、スナップ係合要素１２をすぐに外方へ引くことができず、そのため、ユーザーはベルトを調節するとき、大きな力を加えなければならない。結果として、ユーザーがスナップ係合要素１２を直接引くときに、しばしば過度な力が加えられ、それにより、弾性要素１３に材料疲労、さらには割れをも引き起こしている。
【０００５】
図２Ａから図２Ｃは、別の従来のバックル装置２を示す。バックル装置２は、本体２１、スナップ係合要素２２、及び２つの押圧部２４、を備える。本体２１は、枢軸２６を備え、枢軸２６は、マスク、水かき又は同種のもののベルト（図示せず）がその回りに適合して巻き付けられる。スナップ係合要素２２は、スナップ係合突起２３と、噛み合い端部２５と、を備える。２つの押圧部２４は、互いに対向し、枢軸２６の軸方向に沿ったスナップ係合要素２２の２面（図２Ａ及び図２Ｂに示すように）に配置されている。噛み合い端部２５は、スナップ係合要素２２の枢軸２６に近い側に配置され、枢軸２６の回りに巻かれたベルト（図示せず）に当接する。スナップ係合要素２２のスナップ係合突起２３は、スナップ係合要素２２が弾性力を得ることができるように、本体２１の穴に、スナップ係合される。２つの押圧部２４が、同時に内側方向へ押圧力を受けるとき、スナップ係合要素２２の２つの端部は、直接押圧部２４に押圧されて、外方に向かってアーチ状になり、これにより、噛み合い端部２５と、マスク、水かき、又は同種のもののベルトとの間の隙間が大きくなる。そのとき、ベルトの長さはユーザーの体型に合わせて調節でき、マスク又は水かきを、ユーザーの体に快適にフィットするように、ベルトをユーザーの回りに巻き付けることができる。ユーザーが、一旦押圧部２４を放すと、スナップ係合突起２３の弾性力により、スナップ係合要素２２は元の位置に戻る。押圧部２４も押圧部２４の間に配設されたばねによって、元の位置に戻る。
【０００６】
前記バックル装置１と同様に、スナップ係合突起２３は、スナップ係合要素２２と一体的に形成されているので、ベルトと噛み合うためには、十分な強度と剛性が要求される。しかし、スナップ係合突起２３の材質は非常に堅く、スナップ係合突起２３もまた柔軟さが不十分であるため、ユーザーによって押圧された時、スナップ係合要素２２が即座に外方にアーチ状になることは難しい。それゆえ、ユーザーがベルトを調節する時、押圧部２４の押圧感触が悪くなる。結果として、ユーザーが押圧部２４を押圧する時、しばしば過度な力が加えられ、それにより、やはり、スナップ係合突起２３が材料疲労、さらには割れを、引き起こしている。さらに、スナップ係合要素２２が外方にアーチ状になるように押圧部２４により直接押圧される時、スナップ係合要素２２と押圧部２４との間に激しい抵抗が生じ、摩耗しやすくなる。その摩耗の結果、噛み合い端部２５がベルトと噛み合う時、十分な噛み合い力が得られず、ベルトにしっかりと押しつけられることができない。さらに悪いことに、使用中にベルトは抜け落ち、ユーザーの命を危険にさらすかもしれない。
【０００７】
このような事情に鑑みて、良好な押圧感触を有し、材料疲労、割れ及び摩耗が生じにくいバックル装置を提供する技術が早急に必要とされている。
【考案の概要】
【考案が解決しようとする課題】
【０００８】
本考案の目的は、組み立てやすく、良好な押圧感触を有し、材料疲労、割れ及び摩耗が生じにくいバックル装置を提供することである。
【課題を解決するための手段】
【０００９】
前記目的を達成するため、本考案で開示されたバックル装置は、ベルトを留めるのに適する。バックル装置は、第一部分、第二部分、弾性部、及び少なくとも一つの押圧部を備える。弾性部は、第一部分と第二部分との間に配置される。第二部分は、ベルトを留めるためにベルトと噛み合う。少なくとも一つの押圧部は、弾性部と一体的に形成され、第一部分と第二部分から露出している。少なくとも一つの押圧部は、外力によって内方へ押圧されることに適し、弾性部を外方へ押し出すので、ベルトを解除するために第二部分が外方へ動かされる。
【００１０】
本考案が実施される詳細な技術及び望ましい実施形態は、当業者が請求された考案の特徴をよく理解するように添付された図面とともに、以下の段落に記載されている。
【図面の簡単な説明】
【００１１】
【図１Ａ】従来のバックル装置の概略斜視図である。
【図１Ｂ】従来のバックル装置の平面図である。
【図１Ｃ】従来のバックル装置のＡ−Ａ線に沿った概略断面図である。
【図２Ａ】他の従来のバックル装置の概略斜視図である。
【図２Ｂ】他の従来のバックル装置の平面図である。
【図２Ｃ】他の従来のバックル装置のＢ−Ｂ線に沿った概略断面図である。
【図３Ａ】本考案の第一実施形態に従ったバックル装置の概略斜視図である。
【図３Ｂ】本考案の第一実施形態に従ったバックル装置の分解図である。
【図３Ｃ】本考案の第一実施形態に従ったバックル装置の平面図である。
【図３Ｄ】本考案の第一実施形態に従ったバックル装置のＣ−Ｃ線に沿った概略断面図である。
【図４Ａ】本考案の第二実施形態に従ったバックル装置の概略斜視図である。
【図４Ｂ】本考案の第二実施形態に従ったバックル装置の分解図である。
【図４Ｃ】本考案の第二実施形態に従ったバックル装置の平面図である。
【図４Ｄ】本考案の第二実施形態に従ったバックル装置のＤ−Ｄ線に沿った概略断面図である。
【図５】弾性部に中空部が形成された例を説明する概略図である。
【図６Ａ】弾性部が押圧部より硬い場合の例を説明する概略図である。
【図６Ｂ】図６Ａに示されたＥ−Ｅ線に沿った概略断面図である。
【図７Ａ】弾性部が押圧部より柔らかい場合の例を説明する概略図である。
【図７Ｂ】図７Ａに示されたＦ−Ｆ線に沿った概略断面図である。
【図８Ａ】弾性部が押圧部より柔らかい場合の他の例を説明する概略図である。
【図８Ｂ】図８Ａに示されたＧ−Ｇ線に沿った概略断面図である。
【考案を実施するための形態】
【００１２】
図３Ａから図３Ｄに示すように、本考案の第一実施形態に従ったバックル装置３は、ベルト４を留めるのに適する。バックル装置３は、第一部分３１、第二部分３２、弾性部３３及び少なくとも一つの押圧部３７を備える。バックル装置３の枢軸３６は、第一部分３１に固定され、ベルト４は枢軸３６の回りに巻かれている。弾性部３３は、第一部分３１と第二部分３２との間に配置されている。ベルト４を留めるため、第二部分３２は、ベルト４を枢軸３６に押し付けている。
【００１３】
本考案では、押圧部３７が、弾性部３３と一体的に形成されており、第一部分３１及び第二部分３２から露出していることに注意すべきである。弾性部３３を変形させ外方へ押し出させるために、押圧部３７が外力によって内方に押圧されると、弾性部３３は、ベルト４を解除するために第二部分３２を外方へ移動させるようになり、第二部分３２をベルト４から離す。それによって、ユーザーが、ベルト４を相応の適した長さに調節できるようになる。
【００１４】
さらに具体的には、バックル装置３の第二部分３２は、噛み合い端部３２２と、噛み合い端部３２２とは反対側にある反対端部３２３と、を有している。反対端部３２３は、第一部分３１に固定されているので、バックル装置３の押圧部３７に力がかけられていないとき、噛み合い端部３２２はベルト４と噛み合い、ベルト４を固定するようになっている。第二部分３２の噛み合い端部３２２は、第一突出部３２１を有しており、一方、反対端部３２３は、スナップ係合突起３２３ａを有している。第一部分３１は、スナップ係合突起３２３ａに対応するスナップ係合孔３１３を有しており、一方、反対端部３２３のスナップ係合突起３２３ａは、第一部分３１と第二部分３２とを固定的に接続するためにスナップ係合孔３１３にスナップ係合されるようになる。その結果、第二部分３２が弾性部３３に当接するとき、第一突出部３２１は、ベルト４の複数の第二突出部４１と噛み合い、ベルト４を留める。ユーザーによるベルト４の長さの調節を楽にするため、ベルト４の第二突出部４１も、第一突出部３２１も、枢軸３６と平行に配置されていることが望ましい。さらに、スナップ係合突起３２３ａは、他の物体（例えば、マスク又は水かき）に枢動可能に取り付けられることができるので、枢軸としてのスナップ係合突起３２３ａを有するバックル装置３は、他の物体（例えば、マスク又は水かき）に対して、回転することができる。
【００１５】
図３Ａと図３Ｃに示すように、本考案の、この実施形態のバックル装置３は、２つの押圧部３７を備え、それらは、第二部分３２の２つの側面に配置され、枢軸３６の軸方向と平行である。押圧部３７は、第一部分３１の２つの開口３１５から突出しているので、それぞれ、第一部分３１及び第二部分３２から露出する。ここで、本考案のバックル装置３を使用したベルト４の長さの調節の詳しい過程を、図３Ｂと図３Ｄを参照して説明する。
【００１６】
ユーザーによってかけられた押圧力により、同時に内方に押されると、２つの押圧部３７は、弾性部３３を押圧し、変形させるので、弾性部３３は外方に突出する。第二部分３２を変形させるため、突出した弾性部３３は、第二部分３２の噛み合い端部３２２を、さらに、外方に押圧するので、噛み合い端部３２２は第一部分３１に対して外方に回転する（すなわち、図３Ｄに示されている第二部分３２が反時計回りに回転する）。それにより、噛み合い端部３２２に配置された第一突出部３２１とベルト４との間の隙間は、ベルト４の第二突出部４１を解除するために広げられる。その結果、ユーザーは、ユーザーの体にマスク、水かき又は同種のもの（図示せず）を固定するため、必要に応じてベルト４の長さを適切に調節することができる。
【００１７】
さらに、第二突出部４１を解除するため、噛み合い端部３２２を外方に回転するように第二部分３２が変形されると、弾性部３３、弾性部３３と一体的に形成された押圧部３７及び第二部分３２のそれぞれには、弾性復元力が蓄積される。ユーザーがベルト４の長さの調節を完了し、押圧部３７にかけられた押圧力を除去すると、弾性部３３の弾性復元力は、突出した弾性部３３を元の形に復元するように開放される。その結果、弾性部３３によって第二部分３２に及んでいた外方への押圧動作はなくなり、第二部分３２の弾性復元力は、第二部分３２をその元の形に復元するために開放される。それに応じて、噛み合い端部３２２は、その元の位置に戻るために第二部分３２の動きに合わせて内方に回転し（すなわち、図３Ｄに示されている第二部分３２が時計回りに回転し）、そのため、噛み合い端部３２２に配置された第一突出部３２１は、再びベルト４を固定するために、ベルト４の第二突出部４１のうちの一つと噛み合う。
【００１８】
図４Ａから図４Ｄに示すように、第一実施形態のバックル装置３と同様に、本考案の第二実施形態のバックル装置５は、ベルト６を固定するためのものである。第一実施形態と同様に、バックル装置５は、第一部分５１、第二部分５２、弾性部５３及び少なくとも一つの押圧部５７を備える。バックル装置５の枢軸５６は、第一部分５１に固定され、一方、ベルト６は、枢軸５６の回りに巻かれている。弾性部５３は、第一部分５１と第二部分５２との間に配置され、一方、第二部分５２はベルト６を固定するため、ベルト６を枢軸５６に押しつけている。図４Ａと図４Ｃに示すように、本考案の第二実施形態のバックル装置５は、２つの押圧部５７を備え、それらは、第二部分５２の２つの側面に配置され、枢軸５６の軸方向に平行である。押圧部５７は、弾性部５３と一体的に形成され、第一部分５１及び第二部分５２から露出している。押圧部５７は、第一部分５１の２つの開口５１５から突出しているので、それぞれ、第一部分５１と第二部分５２から露出する。
【００１９】
しかし、第一実施形態のバックル装置３とは違い、第二実施形態のバックル装置５は、さらに、一体的に形成された第一部分５１と第二部分５２とを有している。そのような構造であるため、第二実施形態のバックル装置５では、第一部分５１と第二部分５２とを組み立てるコストが抑えられる。第二実施形態のバックル装置５の第一部分５１と第二部分５２は、一体的に形成されているので、第一部分５１は、反対端部５２３のスナップ係合突起５２３ａとスナップ係合するための、第一実施形態のようなスナップ係合孔３１３が形成される必要はない。第二実施形態のスナップ係合突起５２３ａは、他の物体（例えば、マスクや水かき）に枢動可能に取り付けられることにのみ使用されるので、枢軸としてのスナップ係合突起５２３ａを有するバックル装置５は、他の物体（例えば、マスクや水かき）に対して回転することができる。
【００２０】
ユーザーによってかけられた押圧力により、同時に内方に押されると、２つの押圧部５７は、弾性部５３を変形させ、押圧するので、弾性部５３は外方に突出する。第二部分５２を変形させるため、突出した弾性部５３は、第二部分５２の噛み合い端部５２２を、さらに外方へ押圧するので、噛み合い端部５２２は第一部分５１に対して外方へ回転する（すなわち、図４Ｄに示されている第二部分５２が反時計回りに回転する）。それにより、噛み合い端部５２２に配置された第一突出部５２１とベルト６との間の隙間は、ベルト６の第二突出部６１を解除するために広げられる。その結果、ユーザーは、ユーザーの体にマスク、水かき又は同種のもの（図示せず）を固定するため、必要に応じてベルト６の長さを適切に調節することができる。
【００２１】
さらに、第二突出部６１を解除するため、噛み合い端部５２２を外方に回転するように第二部分５２が変形されると、弾性部５３、弾性部５３と一体的に形成された押圧部５７及び第二部分５２のそれぞれには、弾性復元力が蓄積される。ユーザーがベルト６の長さの調節を完了し、押圧部５７にかけられた押圧力を除去すると、弾性部５３の弾性復元力は、突出した弾性部５３を元の形に復元するように開放される。その結果、弾性部５３によって第二部分５２に及ぼされた外方への押圧動作はなくなり、第二部分５２の弾性復元力は、第二部分５２をその元の形に復元するために開放される。それに応じて、噛み合い端部５２２は、その元の位置に戻るために第二部分５２の動きに合わせて内方に回転し（すなわち、図４Ｄに示されている第二部分５２が時計回りに回転し）、そのため、噛み合い端部５２２に配置された第一突出部５２１は、再びベルト６を固定するために、ベルト６の第二突出部６１のうちの一つと噛み合う。
【００２２】
前記実施形態の弾性部の弾性及び変形の程度を調節するため、図５に示すように、弾性部７３は、弾性部７３をより簡単に変形させるように、中央部分に中空部７３ａが形成されていてもよい。押圧部７７が、ユーザーによってかけられた押圧力により、同時に内方に押されるとき、弾性部７３は、ある程度外方へ変形し、突出するので、第二部分３２、５２の、噛み合い端部３２２、５２２をより簡単に押し出すことができる。
【００２３】
前記実施形態の中で、弾性部と、弾性部と一体的に形成された押圧部は、共に、ショア硬さが実質的にＡ１０からＡ９５の間である第一材料から形成されており、弾性部は、第一部分の弾性係数より小さく、かつ、２０Ｇｐａより低い弾性係数を有している。すなわち、弾性部と押圧部は、第一部分よりも柔軟性を有している。弾性部及び押圧部の第一材料は、望ましくは、シリコン、熱可塑性ゴム(TPR)、熱可塑性ポリウレタン樹脂(TPU)、熱可塑性エラストマー(TPE)、ポリ塩化ビニル(PVC)、天然ゴム、合成ゴム及びその組み合わせからなるグループの中から選択される。第一部分の材料は、ポリカーボネート(PC)、アルキルベンゼンスルホン酸塩(ABS)、ポリオキシメチレン(POM)、ポリプロピレン(PP)、熱可塑性ゴム(TPR)、ナイロン、ポリエチレン(PE)、ポリウレタン(PU) 及びその組み合わせからなるグループの中から選択される。
【００２４】
しかし、上述の弾性部と押圧部は、異なる硬度の材料により形成されていてもよい。弾性部と押圧部は、より柔らかい第一材料、又はより硬い第二材料により形成されていてもよい。例えば、図６Ａ及び図６Ｂに示すように、弾性部８３は、より硬い第二材料により形成されており、一方、押圧部８７は、より柔らかい第一材料により形成されている。このような場合、弾性部８３の第二材料は、高硬度のシリコンにより形成され、さらに、弾性部８３は、押圧部８７にインサート成形され、接着又は他の固定手段によって押圧部８７に接合されている。対照的に、例えば、図７Ａ及び図７Ｂに示すように、弾性部８３は、より柔らかい第一材料により形成されており、一方、押圧部８７は、より硬い第二材料により形成されている。このような場合、第二材料は、ポリエチレン(PE)、ポリカーボネート(PC)、アクリロニトリル・ブタジエン・スチレン (ABS)、ポリオキシメチレン(POM)、ポリプロピレン(PP)、ナイロン、ガラス、高硬度シリコン及びその組み合わせからなるグループの中から選択され、押圧部８７は、弾性部８３にインサート成形される。例えば、図８Ａ及び図８Ｂの双方に示すように、弾性部８３はより柔らかい第一材料から形成され、押圧部８７はより硬い第二材料から形成されている場合、押圧部８７は、スナップ係合、挿入又は接着によって、弾性部８３に接合されていてもよい。弾性部８３を外方へ突出させるために押圧部８７がユーザーによって押圧されたときの、弾性部８３の感触及び変形は、前記の多様な弾性部８３及び押圧部８７の材料により、ユーザーの要求とバックル装置の設計次第で大きく変え、そして調節することができる。
【００２５】
さらに、本考案の弾性部は、好ましい柔軟性を有する材料から形成されているので、
ベルトによって固定されるべき対象物の柔軟部に、容易に一体的に形成することができる。例えば、弾性部は、マスクの裾部分から延び、裾部分と一体的に形成されていてもよい。あるいは、本考案の弾性部は、水かきの側端から延び、側端と一体的に形成されていてもよい。マスクは、水泳用ゴーグル、ダイビング用めがね、又はユーザーの顔の輪郭を覆う他の種類の装置であってもよく、これらに制限されない。
【００２６】
上記の記述によれば、本考案のバックル装置の弾性部は、高い柔軟性を有する柔らかい材料から形成されているので、弾性疲労又は疲労による割れのような欠点は解消されており、ユーザーは、バックル装置を操作するために、押圧部と弾性部を小さな力で簡単に押圧することができる。従来のバックル装置は、押圧感触が悪く、硬い部分の部品のみ、又は、ばねのような金属製弾性部品のみが、弾性蓄積構造として使用されているため、ユーザーが大きすぎる押圧力を加える傾向にあり、さらに、そのことが弾性蓄積構造として使用されている硬い部品の疲労又は割れを引き起こす、という問題を、本考案のバックル装置は回避する。結果として、この装置は、壊れやすくも、割れやすくもなく、従って、この考案のバックル装置は、長期の耐用年数を得る。さらに、弾性部と一体的に形成された押圧部を有することにより、押圧部は、それらの間にばねを配置する必要がなく、元の位置に戻ることができる。前記実施形態に記載された位置、変形方向、弾性部及び押圧部の材料、また、一体的に形成される部品は、本考案の範囲を限定するものではなく、当業者は、本考案と同じコンセプトに基づいて、他の例を考案することができることは、注意すべきである。
【００２７】
上記の開示は、詳細な技術内容とその特徴に関する。当業者は、その特徴から逸脱することなく、記載された考案の開示及び示唆に基づいて、様々な変更と交換を考案するかもしれない。そのような変更と交換は、上記の記述の中で完全に開示されていないが、それでもなお、実質的に、添付された以下のクレームの範囲に含まれる。
【００２８】
この出願は、２００９年１２月４日に出願された台湾実用新案出願第０９８２２２７２３号、及び、２０１０年１月７日に出願された台湾実用新案出願第０９９２００２２７号の優先権の利益を主張し、上記に開示されているものは、それらの全体を参照することにより組み込まれている。
【符号の説明】
【００２９】
１        バックル装置
１１      本体
１２      スナップ係合要素
１３      弾性要素
１４      反対端部
１５      噛み合い端部
１６      第二枢軸
１７      第一枢軸
２        バックル装置
２１      本体
２２      スナップ係合要素
２３      スナップ係合突起
２４      押圧部
２５      噛み合い端部
２６      枢軸
３        バックル装置
３１      第一部分
３１３    スナップ係合孔
３１５    開口
３２      第二部分
３２１    第一突出部
３２２    噛み合い端部
３２３    反対端部
３２３ａ  スナップ係合突起
３３      弾性部
３６      枢軸
３７      押圧部
４        ベルト
４１      第二突出部
５        バックル装置
５１      第一部分
５１５    開口
５２      第二部分
５２１    第一突出部
５２２    噛み合い端部
５２３    反対端部
５２３ａ  スナップ係合突起
５３      弾性部
５６      枢軸
５７      押圧部
６        ベルト
６１      第二突出部
７３      弾性部
７３ａ    中空部
７７      押圧部
８３      弾性部
８７      押圧部
【図１Ａ】
0003164680.tif 000003
【図１Ｂ】
0003164680.tif 000004
【図１Ｃ】
0003164680.tif 000005
【図２Ａ】
0003164680.tif 000006
【図２Ｂ】
0003164680.tif 000007
【図２Ｃ】
0003164680.tif 000008
【図３Ａ】
0003164680.tif 000009
【図３Ｂ】
0003164680.tif 000010
【図３Ｃ】
0003164680.tif 000011
【図３Ｄ】
0003164680.tif 000012
【図４Ａ】
0003164680.tif 000013
【図４Ｂ】
0003164680.tif 000014
【図４Ｃ】
0003164680.tif 000015
【図４Ｄ】
0003164680.tif 000016
【図５】
0003164680.tif 000017
【図６Ａ】
0003164680.tif 000018
【図６Ｂ】
0003164680.tif 000019
【図７Ａ】
0003164680.tif 000020
【図７Ｂ】
0003164680.tif 000021
【図８Ａ】
0003164680.tif 000022
【図８Ｂ】
0003164680.tif 000023